(57)【要約】【課題】  操作部（ラッチ）の摺動性を向上した電池パックを提供する。【解決手段】  電池セルを収容するハウジング１１と、ハウジング１１に設けられる操作部３１と、操作部３１に設けられ機器本体側１の受部３３と係合する係合部３０と、操作部３１をハウジング１１の外周方向に付勢する弾性体３２とを有する電池パック１０において、ハウジング１１内には操作部３１を案内するスライド部（溝）３５が設けられ、操作部３１はスライド部３５に沿って移動可能である。【選択図】  図５
2014038720.tif 000002
【特許請求の範囲】
【請求項１】
電池セルを収容するハウジングと、
前記ハウジングに設けられる操作部と、
前記操作部に設けられ機器本体側の受部と係合する係合部と、
前記操作部を前記ハウジングの外周方向に付勢する弾性体とを有する電池パックにおいて、
前記ハウジング内には前記操作部を案内するスライド部が設けられ、前記操作部は前記スライド部に沿って移動可能であることを特徴とする電池パック。
【請求項２】
前記スライド部は、前記操作部の操作方向に対する中心軸から離間した軸線上に設けられ、前記軸線上の前記ハウジングには作業者が操作部を操作した時に接触部を生じるように構成したことを特徴とする請求項１に記載の電池パック。
【請求項３】
前記接触部は、前記スライド部が設けられている側において、前記操作部の両側の複数個所で生じるように構成したことを特徴とする請求項２に記載の電池パック。
【請求項４】
前記弾性体は前記操作部の範囲内に設けられ、前記スライド部は前記弾性体に対して一方側に位置しており、前記操作部は前記一方側のみでスライド部に接触することを特徴とする請求項１に記載の電池パック。
【請求項５】
前記操作部が操作された際の前記弾性体の復元力が大きい前記一方側において、前記操作部が前記スライド部に接触することを特徴とする請求項４に記載の電池パック。
【発明の詳細な説明】
【技術分野】
【０００１】
本発明は、電動工具及び電気機器に使用する電池パックに関するものである。
【背景技術】
【０００２】
従来から作業性を良くするために、電池パックを動力として動く電動工具がある。この電池パックは、開口部が形成されたハウジングを有し、ハウジング内には、セル群、基板、及び第１端子が収容されている。端子は、開口部近傍に、電動工具の本体部又は充電器の第２端子と嵌合可能に設けられている。基板は、端子から離間した位置に配置され、リード線により端子と接続されている。
【先行技術文献】
【特許文献】
【０００３】
【特許文献１】特開２００８−６６１４１
【発明の概要】
【発明が解決しようとする課題】
【０００４】
しかし、従来の電池パックは図８のように一点を中心にラッチが回動動作する構造となっているが、この場合、操作部のスライド方向先端を操作しなければ、ラッチを操作できず電動工具との係止を解除できないため操作性の悪さが問題となっている。
【０００５】
そこで、図９のようにラッチが電池ケースに設けられた溝を摺動し、ラッチが平行にスライド動作することで、操作部のどの部分を操作しても、ラッチを操作できるようになり操作性が向上した電池パックが使用されるようになった。
【０００６】
しかし、このような構成ではラッチと溝には摺動をするための隙間が設けられているため、操作部を操作した時にラッチが傾く状態となる。ラッチの傾きが最大となった時に、ラッチと電池ケースはラッチの両端側の左右二箇所で接触した状態となり（接触点３６Ａ、３６Ｂ）、ラッチが突っかかりラッチのスライド方向の摺動性が悪いという課題があった。
【０００７】
そこで本発明は、上記従来の欠点を解消し、ラッチのスライド方向の摺動性が向上した電池パックを提供することを目的とする。
【課題を解決するための手段】
【０００８】
上記目的を解決するために本発明は、電池セルを収容するハウジングと、前記ハウジングに設けられる操作部と、前記操作部に設けられ機器本体側の受部と係合する係合部と、  前記操作部を前記ハウジングの外周方向に付勢する弾性体とを有する電池パックにおいて、前記ハウジング内には前記操作部を案内するスライド部が設けられ、前記操作部は前記スライド部に沿って移動可能である電池パックを提供する。
【０００９】
また、本発明は、前記スライド部は、前記操作部の操作方向に対する中心軸から離間した軸線上に設けられ、前記軸線上の前記ハウジングには作業者が操作部を操作した時に接触部を生じるように構成した電池パックを提供する。
【００１０】
また、本発明は、前記接触部は、前記スライド部が設けられている側において、前記操作部の両側の複数個所で生じるように構成した電池パックを提供する。
【００１１】
また、本発明は、前記弾性体は前記操作部の範囲内に設けられ、前記スライド部は前記弾性体に対して一方側に位置しており、前記操作部は前記一方側のみでスライド部に接触する電池パックを提供する。
【００１２】
また、本発明は、前記操作部が操作された際の前記弾性体の復元力が大きい前記一方側において、前記操作部が前記スライド部に接触する電池パックを提供する。
【発明の効果】
【００１３】
本発明の電池パックはコンクリート等の粉塵が入る環境で使用されても、電池パックを電動工具から円滑に着脱可能な電池パックを提供することができる。
【図面の簡単な説明】
【００１４】
【図１】本発明の電池パックを挿入した工具を示す正面図。
【図２】本発明の電池パックを示す斜視図。
【図３】本発明の電池パックを示す内部正面図。
【図４】本発明の電池パックの操作部を示す主要拡大図。
【図５】本発明の操作部の左側を付勢した状態を示す主要拡大図。
【図６】本発明の操作部の左側を付勢した状態を示す主要拡大図。
【図７】従来の電池パックの操作部を示す主要拡大図。
【図８】従来の電池パックの操作部を付勢した状態を示す主要拡大図。
【図９】従来のスライド式の電池パックの操作部を示す主要拡大図。
【発明を実施するための形態】
【００１５】
本発明の実施の形態による電池パック及び電池パックを備える電動工具について図１及び図２に基づき説明する。以下の説明において、図１に図示される方向を前後方向とする。図１に示すように、電動工具であるドリル１は、本体部２と、ハンドル３と、電池パック１０とを主に備えて構成されている。  
【００１６】
本体部２は、図示せぬモータを内蔵しており、先端部分に出力部であってドリルビットを装着可能な工具保持部２Ａが設けられている。ハンドル３は本体部２の後端部分から延出されており、その延出部分の基端部分には、トリガ３Ａが設けられている。トリガ３Ａは、電池パック１０から図示せぬモータに供給される電気を制御する。また、図２に示すように、ハンドル３の延出方向端部には、後述の複数の第２端子１４と嵌合する板状の複数の第１端子３Ｂが設けられている。  
【００１７】
電池パック１０は、ハンドル３の延出方向先端部分にドリル１の前後方向に沿って着脱可能に設けられている。電池パック１０について、図３と図４に基づき詳細に説明する。電池パック１０は、ハウジング１１と、セル群１２と、基板１３と、複数の第２端子１４と、カバー１５とを備えている。ハウジング１１は、上側ハウジング１６と下側ハウジング１７とを備え、セル群１２、基板１３、複数の第２端子１４、及びカバー１５を収容している。上側ハウジング１６は、端子挿入部１６Ａと、開口規定部１６Ｂとを主に備えている。端子挿入部１６Ａと開口規定部１６Ｂとにより、略長方形状の開口部１６ｃが規定されている。開口部１６ｃは、電池パック１０を図示せぬ充電器に連結して充電を行う際に、図示せぬ充電器の端子を保護する板状の保護部材を挿入する挿入部として機能する。また、端子挿入部１６Ａには、後方に向かって開口する複数のスロット１６ｄが形成されている。  
【００１８】
図２に示すように、セル群１２は、複数のセルを備え、各セルは、ニッケル水素電池又はリチウムイオン電池等からなり、複数回充放電可能な電池である。基板１３は、セル群１２上に設けられ、セル群１２と電気的に接続されている。基板１３には、開口部１６ｃの長手方向に沿って延びる端子配置部１３Ａが規定されている。また、基板１３の後方側の端縁１３Ｂは、上側ハウジング１６の開口規定部１６Ｂの前方側の端縁１６Ｅ（図３）に対向するように配置されている。  
【００１９】
複数の第２端子１４は、基板１３の端子配置部１３Ａに、開口部１６ｃの長手方向に沿って並ぶように配置され、基板１３と電気的に接続されている。複数の第２端子１４は、電池パック１０が一体に組まれた状態で、それぞれスロット１６ｄ内に位置する。複数の第２端子１４は、それぞれ平板をＵ字形状に曲げ、開口端部を塞ぐように平板の端部付近を接触させた形状をなしている。そして、電池パック１０がハンドル３の先端に取り付けられるときは、第１端子３Ｂは、後方側からスロット１６ｄに挿入され、第２端子１４にその開口端部を押し広げるように嵌合圧入されて、第１端子３Ｂと第２端子１４とは嵌合する。
【００２０】
つぎに、電池パックのラッチ部分について図３に基づいて説明する。図３は、操作部（ラッチ）３１が、上側ハウジング１６の短手方向と平行にスライド摺動する構成を示しており、下側ハウジング１７のケース内の上面に収容されたラッチ３１が弾性体３２によってハウジング１１の外側方向に付勢されている。ラッチが図４の紙面と垂直上方向に動くことを防ぐため、締付ねじ３４によって、紙面と垂直下方向に保持している。さらに、ハウジング１１にはラッチ３１をガイドするリブ状の溝３５が形成され、溝３５に沿ってラッチ３１が移動することによって、ラッチに形成されたフック状の係合部３０が連動して摺動し、工具本体１側に設けられた受部３３と係合することで電池パック１０と工具本体1とを固定する。
【００２１】
つぎに、本発明の主要部分について、図４から図６に基づいて説明する。図４は、作業者が操作部３１を操作していない状態を示しており、左側の溝３５の周辺にはハウジング１６の長手方向に沿って順に、第一壁３７、第二壁３８が左側操作部３１Ａと略平行にスライド方向に延出している。同様に、右側の溝３５の周辺にもハウジング１６の長手方向に沿って順に、第三壁３９、第四壁４０が右側操作部３１Ｂと略平行にスライド方向に延出している。操作部３１は係合部３０と操作面３１ａと弾性体３２と左側操作部３１Ａと右側操作部３１Ｂとで構成されている。
【００２２】
図５は、作業者が操作部３１の中心軸（不図示）から紙面に対して左側を押圧している状態を示しており、弾性体の復元力を復元力Ｘ＞復元力Ｙと定義すると、この状態では操作部３１の左側の復元力が右側の復元力より大きい。左側操作部３１Ａの左端と右端は、それぞれ第一壁３７、第二壁３８とで接触部３６Ｂと接触部３６Ａで接する状態でスライド動作される。
【００２３】
図６は、作業者が操作部３１の中心軸（不図示）から紙面に対して右側を押圧している状態を示しており、弾性体の復元力を復元力Ｘ＞復元力Ｙと定義すると、この状態では操作部３１の右側の復元力が左側の復元力より大きい。右側操作部３１Ｂの左端と右端は、それぞれ第三壁３９、第四壁４０とで接触部３６Ｂと接触部３６Ａで接する状態でスライド動作される。
【００２４】
このような構成にすることによって、従来は、接触部３６Ａと３６Ｂとが離れた距離にあることで、操作部３１の中心軸上にあった回転軸に対する慣性モーメントが大きかったが、接触部３６Ａと接触部３６Ｂとの距離が小さくなり、左側操作部３１Ａもしくは右側操作部３１Ｂの中心軸に回転軸を移すことができるため、操作部３１をスライド動作させるときに、小さな力で操作することができる。
【００２５】
なお、上述の実施形態では、操作部３１が係合部３０と一体に形成されているが、係合部３０と連動するものであれば必ずしも一体に形成されている必要はない。  
【００２６】
また、上述した実施例は、弾性体３２として圧縮バネを設けた場合の例であるが、弾性体３２はバネのほか、ゴム等であってもよい。  
【００２７】
尚、本発明の電池パック及び電池パックを備えた電動工具は、上述した実施の形態に限定されず、特許請求の範囲に記載した範囲で種々の変形や改良が可能である。
【符号の説明】
【００２８】
１・・工具本体、ハウジング・・１１、係合部・・３０、操作部・・３１、左側操作部・・３１Ａ、右側操作部・・３１Ｂ，受部・・３３、第一壁・・３７、第二壁・・３８、第三壁・・３９、第四壁・・４０、
【図１】
2014038720.tif 000003
【図２】
2014038720.tif 000004
【図３】
2014038720.tif 000005
【図４】
2014038720.tif 000006
【図５】
2014038720.tif 000007
【図６】
2014038720.tif 000008
【図７】
2014038720.tif 000009
【図８】
2014038720.tif 000010
【図９】
2014038720.tif 000011